【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
クロック周波数を有する入力クロック信号から出力クロック信号を発生させるための回路であって、
ここで前記ループ周波数はループ遅延の逆数からなりそして前記ループ遅延は信号がそのループを通過するのにかかる時間からなるものであり、
前記ループは、イネーブルされたときに、前記入力クロック信号と、前記出力クロック信号の遅延された信号（ｖｅｒｓｉｏｎ）との間の位相差を表す値（ｒｅｐｒｅｓｅｎｔａｔｉｏｎ）を出力するための検出回路と、
前記位相差を表す値を受け取り、出力クロック信号を出力するための可変遅延回路と、
前記出力クロック信号を受け取り、前記出力クロック信号の前記遅延された信号を出力するための固定遅延回路とを備えており、
前記検出回路は、実質的に前記ループ周波数に等しい数端数で選択的にイネーブルされる、
回路。
【請求項２】
請求項１の回路であって、更に、前記検出回路を選択的にイネーブルするコントローラを備え、このコントローラは、前記ループおよびクロック周波数間の比率を示す値を記憶するようにした、回路。
【請求項３】
請求項２の回路であって、前記コントローラは更に、前記値を決定するためのカウンタを備えている、回路。
【請求項４】
請求項１の回路であって、前記ループ周波数は、前記クロック周波数よりも小さい、回路。
【請求項５】
請求項１の回路であって、前記ループ遅延は、計測された値である、回路。
【請求項６】
請求項１の回路であって、前記検出回路は、位相検出器およびループ  フィルタを備えている、回路。
【請求項７】
クロック周波数を有する入力クロック信号から出力クロック信号を発生させるため
の回路であって、
前記入力クロック信号と前記出力クロック信号の遅延された信号（ｖｅｒｓｉｏ
ｎ）との間の位相差を表す値（ｒｅｐｒｅｓｅｎｔａｔｉｏｎ）を出力するため
の検出回路と、
前記位相差を表す値を受け取り、前記出力クロック信号を出力するための可変遅
延回路であってその出力クロック信号はそのクロック周波数を有し、
前記出力クロック信号を受け取り、前記出力クロック信号の前記遅延された信号
を出力するための固定遅延回路であって、その出力クロック信号の遅延された信
号はそのクロック周波数を有するものと、
前記検出回路を選択的にイネーブルするために、前記検出回路へ信号を送るコントローラであってそのコントローラはそのクロック周波数より低いがループ周波数より高いかあるいはほぼ等しい周波数に従ってその検出回路を選択的にイネーブルし、そのループ周波数はそのループを介して伝播遅延にしたがって決定されるものと、
を備える回路。
【請求項８】
請求項７の回路であって、前記ループ周波数は、前記クロック周波数よりも小さい、回路。
【請求項９】
請求項７の回路であって、前記コントローラは、前記検出回路を前記ループ周波数に従って選択的にイネーブルする、回路。
【請求項１０】
請求項７の回路であって、前記ループ遅延は、計測された値である、回路。
【請求項１１】
請求項７の回路であって、前記コントローラは、前記ループ周波数をループ計測期間中における値として決定するためのカウンタを備えている、回路。
【請求項１２】
請求項１１の回路であって、前記コントローラは、前記入力クロック信号から信号を得る、回路。
【請求項１３】
請求項１２の回路であって、前記コントローラは、前記入力クロック信号を前記値で分周した周波数によって前記信号を得る、回路。
【請求項１４】
クロック周波数を有する入力クロック信号から出力クロック信号を発生させるための回路であって、
前記入力クロック信号を受け取り前記出力クロック信号を出力するためのループであって
前記入力クロック信号を表す値および前記出力クロック信号を表す値の間の位相差を表す値に応じて少なくともその一部が調整可能なループ遅延を有しており、そのループ遅延は信号がそのループを介して伝播するのにかかる時間からなり、前記ループ遅延は、ループ周波数の逆関数であるものと、
前記位相差を表す値を出力するための前記ループ内の検出器であって、前記ループ周波数に実質的に等しい周波数で前記位相差を表す値を出力するものと、
からなる回路。
【請求項１５】
請求項１４の回路であって、前記ループ周波数は、前記クロック周波数よりも小さい、
回路。
【請求項１６】
請求項１４の回路であって、前記ループ遅延は、計測された値である、回路。
【請求項１７】
請求項１４の回路であって、前記検出回路は実質的に前記ループ周波数に実質的に等しい周波数で選択的にイネーブルされることにより前記位相差を表す値を出力する、回路。
【請求項１８】
請求項１７の回路であって、前記検出回路は、コントローラにより、選択的にイネーブルされる、回路。
【請求項１９】
請求項１８の回路であって、前記コントローラは、入力クロック信号を分周することにより選択的にイネーブルされる、回路。
【請求項２０】
請求項１４の回路であって、前記検出回路は、位相検出器とループ  フィルタとを備えている、回路。
【請求項２１】
クロック周波数を有する入力クロック信号から出力クロック信号を発生させるためのディレイまたはフェーズ  ロックド  ループ回路であって、
前記入力クロック信号を受け取り、前記出力クロック信号を出力するためのループであって、前記入力信号を表す値（ｒｅｐｒｅｓｅｎｔａｔｉｏｎ）および前記出力信号を表す値（ｒｅｐｒｅｓｅｎｔａｔｉｏｎ）の間の位相差を表す値（ｒｅｐｒｅｓｅｎｔａｔｉｏｎ）の受信に依拠して少なくともその一部が調整可能な遅延を有するループであって、前記ループ遅延は、ループ周波数の逆関数であるものと、
前記位相差を表す値を出力するための検出回路と、
前記クロック周波数よりは低いが前記ループ周波数よりは高いか実質的に等しい周波数において前記検出回路を選択的にイネーブルする検出器コントローラと、を備える、
回路。
【請求項２２】
請求項２１の回路であって、前記ループ遅延は、計測された値である、回路。
【請求項２３】
請求項２１の回路であって、前記検出回路は、実質的に前記ループ周波数に従って選択的にイネーブルされることにより、前記位相差を表す値を出力する、回路。
【請求項２４】
請求項２１の回路であって、前記コントローラは、入力クロック信号から分周することにより選択的にイネーブルされる、回路。
【請求項２５】
クロック周波数を有する入力クロック信号から出力クロック信号を発生させるためのループを使用する方法であって、
ループ周波数を決定するためにループによる伝播遅延を計測しその伝播遅延計測は信号がそのループを介して通過する時間からなり、
その伝播遅延の計測後に、前記ループ周波数に実質的に基づき検出回路をイネーブルし、
前記検出回路は、前記ループの遅延が調整されるように前記入力クロック信号と前記出
力クロック信号を表す値（ｒｅｐｒｅｓｅｎｔａｔｉｏｎ）との間の位相差を表す値（ｒｅｐｒｅｓｅｎｔａｔｉｏｎ）を出力するようにした、方法。
【請求項２６】
請求項２５の方法であって、前記伝播遅延の計測は、信号がループを伝播する時間中の入力クロック  サイクルの数をカウントすることを含む、方法。
【請求項２７】
請求項２６の方法であって、前記の入力クロックサイクルの数は、レジスターに記憶されるようにした、方法。
【請求項２８】
請求項２７の方法であって、前記ループ周波数に実質的に従って前記検出回路をイネーブルすることは、入力クロック信号を入力クロックサイクルの数で分周した周波数によって得られた検出器イネーブル信号を発生させることを含む、方法。
【請求項２９】
請求項２５の方法であって、前記位相差を表す値は、アナログ信号である、方法。
【請求項３０】
請求項２５の方法であって、前記位相差を表す値は、遅延を大きくするか小さくするかの調整の必要があることを示すデジタルパルスである、方法。
【請求項３１】
入力クロック信号から出力クロック信号を発生させるためのループを使用する方法であって、
ループ周波数を決定する為にそのループを介してその遅延を計測し、
前記入力クロック信号と、前記出力クロック信号を表す値との間の位相差を表す値を、
前記ループの遅延が調整されるように、位相検出器から出力し、
前記表す値は、前記入力クロック信号の各サイクルよりも小さな値でかつそのループ周波数に実質的に従って出力されるようにし、前記入力クロック信号と前記出力クロック信号が同じクロック周波数をもつようにした、方法。
【請求項３２】
請求項３１の方法であって、前記表す値は、ループによるパルスの伝播遅延を示すループ周波数に実質的に従って出力される、方法。
【請求項３３】
クロック周波数を有する入力クロック信号から出力クロック信号を発生させるための方法であって、前記方法はフィードバックループを使用し、
前記入力クロック信号と前記出力クロック信号の遅延された信号との間の位相差を表す値（ｒｅｐｒｅｓｅｎｔａｔｉｏｎ）を出力し、前記表す値は、ループ周波数と実質的に等しい周波数で出力され、前記ループ周波数は前記フィードバックループを介して伝播遅延の逆数として決定され、
前記出力クロック信号を出力する可変遅延回路において前記位相差を表す値を受け取り、
前記出力クロック信号の前記遅延された信号（ｖｅｒｓｉｏｎ）を出力する固定遅延回路において前記出力クロック信号を受け取る、方法。
【請求項３４】
クロック周波数を有する入力クロック信号から出力クロック信号を発生する回路であって、ループからなり、
前記入力クロック信号と前記出力クロック信号の遅延された信号との間の位相差を表す値を出力する検出回路と、
前記位相差を表す値を受信し、前記出力クロック信号を出力する可変遅延回路であって、前記出力クロック信号は前記クロック周波数を有するものと、
前記出力クロック信号を受信し前記出力クロック信号の遅延された信号を出力する固定遅延回路であって、前記出力クロック信号の遅延された信号は前記クロック周波数を有するものと、
信号を前記検出回路に送り、その検出回路を選択的にイネーブルするコントローラであって、そのコントローラはループ計測期間の間の値としてそのループ周波数を決定する為のカウンターからなるものを直列に接続したものを備えた、
回路。